(57)【要約】【課題】暖房運転時に、温風の床面への到達を確保し、快適性に優れた空気調和装置を提供する。【解決手段】熱交換器５と、ファン７と、前記ファン７を回転することにより吹き出される風の向きを上下方向に変化させる上羽根１０、下羽根１１を設けた室内ユニット１を備え、暖房運転の安定時に、前記上羽根１０、下羽根１１の少なくとも一方の角度を、風量に応じて変化させて前記風の流速を上げるようにしたもので、温風の流速を大きくすることにより、温風の浮き上がりを防止して床面温度を上昇させ、快適性を向上させることができる。【選択図】図１
2011094816.tif 000002
【特許請求の範囲】
【請求項１】
熱交換器と、ファンと、前記ファンを回転することにより吹き出される風の向きを上下方向に変化させる羽根を２枚設けた室内ユニットを備え、暖房運転の安定時に、前記２枚の羽根の少なくとも一方の角度を、風量に応じて変化させて前記風の流速を上げるようにした空気調和装置。
【発明の詳細な説明】
【技術分野】
【０００１】
本発明は、空気調和装置に関するもので、特に、吹出し風の向きを変える上下羽根を有する空気調和装置に関するものである。
【背景技術】
【０００２】
従来、この種の空気調和装置として、図４、図５に示されるようなものがあった（例えば、特許文献１参照）。
【０００３】
図４は、従来のセパレート型の空気調和装置の全体構成を示す斜視図、図５は、同空気調和装置の室内ユニットの側面図である。
【０００４】
図４、５において、従来の空気調和装置は、室内ユニット１と、流体を循環させる圧縮機３を内蔵した室外ユニット２で構成されている。
【０００５】
この室内ユニット１は、空気をＡ方向の吸込パネル４付近から吸い込み、熱交換器５により吸い込んだ空気と、熱交換器５中を流れる流体を熱交換し、この熱交換された空気を、吹出口６からファン７によりＢ方向に排出する。そして吹出口６付近には、モータ９によりスイング動作する上下羽根８が取り付けられている。
【０００６】
以上のような従来の空気調和装置が設置された部屋の運転状態について、以下その動作、作用を説明する。
【０００７】
暖房運転時に、室内ユニット１内部で、Ａ方向から吸い込まれた空気が熱交換器５中の流体で暖められＢ方向に吹き出される。さらに、暖められた温風は、リモコン（図示せず）により設定された風量により、スイングする上下羽根８によって部屋の隅々まで到達する。そして暖房運転時に、室内ユニット１が設置された部屋の空調が設定温度（リモコンなどにより設定）に達すると、室外ユニット２の圧縮機３の運転が停止して、流体の循環が止まる。
【０００８】
これは、いわゆるサーモオフ状態と呼ばれる（以下サーモオフと呼ぶ）。つまり暖房運転時において、部屋の温度が設定温度にまで達すれば圧縮機３が停止し、冷凍サイクル中の流体の循環が止まる。そして部屋の温度が設定温度より低下すれば、部屋を再度暖めるために圧縮機３が運転して流体が熱交換器５を循環する（以下サーモオンと呼ぶ）。空気調和装置は、リモコンの設定温度などにより部屋の温度をあわせるため、このような運転が繰り返されている。また、リモコンには、設定風量が強風、弱風、微弱風などに変化できるようになっている。
【先行技術文献】
【特許文献】
【０００９】
【特許文献１】特開平０５−２１５３９３号公報
【発明の概要】
【発明が解決しようとする課題】
【００１０】
しかしながら、前記従来の空気調和装置の構成では、暖房運転時において、部屋が暖められてくる（部屋の温度が安定する）と、ファン７から吹き出された温風は、部屋の床面に届かずに浮き上がる（暖かい空気は部屋の上部にたまる）場合が発生する、つまり温風を吹き出しても、吹き出し温度が高く、床面にまで届かずに吹き上がる。
【００１１】
吹き出し温度が高い場合、そして暖房運転時の室内ユニット１の風量が小さければ吹き出し温度が上昇し、温風が床面に届かず浮き上がる。この結果、部屋の上部に暖かい空気がたまり、部屋の床面付近の温度が低下することが発生する。暖気が部屋の上部、冷気が部屋の下部にたまる二層分離する。
【００１２】
このため、冬場部屋にいる人は、部屋を暖めているにもかかわらず足元（床面付近）に冷風感を感じることがあり、快適性が大きく低下するという課題を有していた。
【００１３】
本発明は、前記従来の課題を解決するもので、暖房運転において部屋の温度が安定した場合でも、床面までの温風の到達を確保し、つまり温風の浮き上がりを防止し、快適性に優れた空気調和装置を提供することを目的とする。
【課題を解決するための手段】
【００１４】
前記従来の課題を解決するために、本発明の空気調和装置は、熱交換器と、ファンと、前記ファンを回転することにより吹き出される風の向きを上下方向に変化させる羽根を２枚設けた室内ユニットを備え、暖房運転の安定時に、前記２枚の羽根の少なくとも一方の角度を、風量に応じて変化させて前記風の流速を上げるようにしたもので、温風の流速を大きくすることにより、温風の浮き上がりを防止して床面温度を上昇させ、快適性を向上させることができる。
【発明の効果】
【００１５】
本発明の空気調和装置は、室内ユニットに取り付けられ上下に変化する羽根を風量に応じて変化させて温風の流速を上げるようにして、温風の吹き上がりを防止し、温風が部屋の床面に到達することにより床面付近の温度を上昇させて、快適性を向上させることができる。
【図面の簡単な説明】
【００１６】
【図１】本発明の実施の形態１における空気調和装置の室内ユニットの側面図
【図２】同空気調和装置の制御図
【図３】（ａ）同空気調和装置の部分側面図、（ｂ）同空気調和装置の上羽根の動作を示す図、（ｃ）同空気調和装置の下羽根の動作を示す図
【図４】従来の空気調和装置の全体構成を示す斜視図
【図５】同空気調和装置の室内ユニットの側面図
【発明を実施するための形態】
【００１７】
第１の発明は、熱交換器と、ファンと、前記ファンを回転することにより吹き出される風の向きを上下方向に変化させる羽根を２枚設けた室内ユニットを備え、暖房運転の安定時に、前記２枚の羽根の少なくとも一方の角度を、風量に応じて変化させて前記風の流速を上げるようにしたもので、温風の流速を大きくすることにより、温風の浮き上がりを防止して床面温度を上昇させ、快適性を向上させることができる。
【００１８】
以下、本発明の実施の形態について、図面を参照しながら説明する。なお、この実施の形態によって本発明が限定されるものではない。
【００１９】
（実施の形態１）
本発明の実施の形態１における空気調和装置について、図１〜３を用いて説明する。図１は、本実施の形態における空気調和装置の室内ユニットの側面図である。
【００２０】
本実施の形態における空気調和装置の室内ユニット１は、風向を設定したりスイングす
るために、上下に、上羽根１０と下羽根１１を備えたもので、他の構成は、上記従来の空気調和装置と同じなので、同一部分には同一符号を付してその説明を省略する。
【００２１】
以上のように構成された本実施の形態における空気調和装置が設置された部屋の運転状態について、以下その動作、作用を説明する。
【００２２】
暖房運転時に、室内ユニット１内部で、Ａ方向から吸い込まれた空気が、熱交換器５で暖められてＢ方向に吹き出される。吹き出された温風は、上羽根１０と下羽根１１の両羽根により部屋の隅々まで温風を到達させる。
【００２３】
図２は、本実施の形態における空気調和装置の制御図である。また、図３（ａ）は、同空気調和装置の部分側面図、図３（ｂ）は、上羽根１０の動作、図３（ｃ）は、下羽根１１の動作をそれぞれ示す図である。
【００２４】
吹き出された温風は、床面に到達する前に、温度が高い為に浮き上がる場合がある。これにより床面に温風が届かず、部屋が暖まらない場合がある。リモコンの風量は、強風量、弱風量、微弱風量に設定できる。そこで、本実施の形態では、上羽根１０と下羽根１１のそれぞれの回動位置を、風量が強風量の場合は、通常位置Ｅであるが、風量が弱風量に変化すると変化Ｆ位置、風量が微弱風量に変化すると変化Ｇ位置に変化させるようにしたものである。
【００２５】
つまり、風量が小さくなる場合、温風が浮き上がるため、二枚の羽根を絞る方向、すなわち上羽根１０をＣ方向（図３（ｂ））、下羽根１１をＤ方向（図３（ｃ））にそれぞれ変化させて、温風の流速を増加させて、床面に届きやすくさせる。そして、流速を大きくすることにより部屋の温度を攪拌させる効果もある。
【００２６】
また、温風による浮き上がりを防止するため、温風の温度を下げると効果があると考えられる。また、上羽根１０と下羽根１１の角度変化により部屋の温風の浮き上がりを防止して快適性を保つことができる。また、上羽根１０を固定して、下羽根１１をＤ方向に変化させて流速を大きくしても同様の効果が得られる。その逆に、下羽根１１を固定して上羽根１０をＣ方向に変化させて流速を大きくする場合も同様である。
【産業上の利用可能性】
【００２７】
以上のように、本発明にかかる空気調和装置は、風量に応じて上下羽根を変化させて、温風の吹き上がりをなくし、部屋の温度を最適に保つことが可能となる。
【符号の説明】
【００２８】
１  室内ユニット
２  室外ユニット
３  圧縮機
５  熱交換器
６  吹出口
７  ファン
９  モータ
１０  上羽根
１１  下羽根
【図１】
2011094816.tif 000003
【図２】
2011094816.tif 000004
【図３】
2011094816.tif 000005
【図４】
2011094816.tif 000006
【図５】
2011094816.tif 000007